(57)【要約】【課題】  複数の映像処理装置を接続しシステムとしてマルチタスクを行う映像処理システム、映像処理装置、映像処理装置を目的とする。【解決手段】  映像データの記録および編集を行う複数の映像処理装置１００と、複数の映像処理装置１００を接続する接続手段とを有し、複数の映像処理装置１００は、通信可能な外部装置の装置リソース情報である外部装置リソースを取得し、外部装置リソースを外部装置リソーステーブル９１に記憶させる外部装置リソース管理手段９１と、指令手段１０ｂからの指令により外部装置へ映像データを送信する場合には、自らの映像処理装置１００の内部を流れる内部データに外部装置を制御する制御情報を付加し、外部装置から映像データを受信する場合には、自らの映像処理装置１００の外部の通信路を流れる外部データから自らの映像処理装置１００を制御する制御情報と映像データとを分離するデータ変換手段９５とを有する。【選択図】  図２
2010050956.tif 000002
【特許請求の範囲】
【請求項１】
音声データまたは動画像データの少なくとも一方を含む映像データの記録および編集を行う複数の映像処理装置と、
前記複数の映像処理装置を接続する接続手段とを有し、
前記映像処理装置には、
前記接続手段によって自らの映像処理装置と接続された他の映像処理装置である外部装置のリソース情報を更新可能に記憶する外部装置リソーステーブルと、
自らの映像処理装置のリソース情報を更新可能に記憶する自装置リソーステーブルと、
前記外部装置リソーステーブルに予め記憶されている外部装置が通信可能か否かを判断し、通信可能と判断した外部装置を自らの映像処理装置のグループとするグループ化手段と、
ユーザからの操作入力に応じて前記グループ化手段によってグループとされた他の映像処理装置へ映像処理の指令を行う指令手段と、
自らの映像処理装置に係る自装置リソースを判断し、前記自装置リソースの情報を前記自装置リソーステーブルに記憶させる自装置リソース管理手段と、
通信可能な外部装置の装置リソース情報である外部装置リソースを取得し、前記外部装置リソースを前記外部装置リソーステーブルに記憶させる外部装置リソース管理手段と、
前記指令手段からの指令により前記外部装置へ映像データを送信する場合には、自らの映像処理装置の内部を流れる内部データに外部装置を制御する制御情報を付加し、前記外部装置から映像データを受信する場合には、自らの映像処理装置の外部の通信路を流れる外部データから自らの映像処理装置を制御する制御情報と映像データとを分離するデータ変換手段と、
前記データ変換手段によって受信した映像データを記憶する記憶手段と
を有することを特徴とする映像処理システム。
【請求項２】
前記映像処理装置には、
映像データを記録する場合、収録中の映像データを記録する前記記憶手段の残容量が所定の残容量になったことを判断する残容量判断手段と、
前記残容量判断手段によって所定の残容量になったことを判断すると、収録中の映像データを記録する記憶手段を、他の映像処理装置に備えられた記憶手段へ切替えする切替手段と
をさらに有することを特徴とする請求項１に記載の映像処理システム。
【請求項３】
前記映像処理装置には、前記自装置リソース管理手段によって自らの映像処理装置に映像操作装置が接続されていることを判断することにより、自らの映像処理装置が映像処理システムに備えられた他の映像処理装置へ指令を行う働きをする指令装置であることを判断する指令装置判断手段をさらに有することを特徴とする請求項１または請求項２に記載の映像処理システム。
【請求項４】
前記複数の映像処理装置のうち少なくとも１つが、ノンリニア編集装置であることを特徴とする請求項１乃至請求項３に記載の映像処理システム。
【請求項５】
音声データまたは動画像データの少なくとも一方を含む映像データの記録および編集を行う映像処理装置を複数備える映像処理システムで使用される映像処理装置であって、
前記接続手段によって自らの映像処理装置と接続された他の映像処理装置である外部装置のリソース情報を更新可能に記憶する外部装置リソーステーブルと、
自らの映像処理装置のリソース情報を更新可能に記憶する自装置リソーステーブルと、
前記外部装置リソーステーブルに予め記憶されている外部装置が通信可能か否かを判断し、通信可能と判断した外部装置を自らの映像処理装置のグループとするグループ化手段と、
ユーザからの操作入力に応じて前記グループ化手段によってグループとされた他の映像処理装置へ映像処理の指令を行う指令手段と、
自らの映像処理装置に係る自装置リソースを判断し、前記自装置リソースの情報を前記自装置リソーステーブルに記憶させる自装置リソース管理手段と、
通信可能な外部装置の装置リソース情報である外部装置リソースを取得し、前記外部装置リソースを前記外部装置リソーステーブルに記憶させる外部装置リソース管理手段と、
前記指令手段からの指令により前記外部装置へ映像データを送信する場合には、自らの映像処理装置の内部を流れる内部データに外部装置を制御する制御情報を付加し、前記外部装置から映像データを受信する場合には、自らの映像処理装置の外部の通信路を流れる外部データから自らの映像処理装置を制御する制御情報と映像データとを分離するデータ変換手段と、
前記データ変換手段によって受信した映像データを記憶する記憶手段と
を有することを特徴とする映像処理装置。
【請求項６】
前記自装置リソース管理手段によって自らの映像処理装置に映像操作装置が接続されていることを判断することにより、自らの映像処理装置が映像処理システムに備えられた他の映像処理装置へ指令を行う働きをする指令装置であることを判断する指令装置判断手段をさらに有することを特徴とする請求項５に記載の映像処理装置。
【請求項７】
映像データを収録する場合、収録中の映像データを記録する記憶手段の残容量が所定の残容量になったことを判断する残容量判断手段と、
前記残容量判断手段によって所定の残容量になったことを判断すると、収録中のデータを記録する記憶手段を、他の映像処理装置に備えられた記憶手段へ切替えする切替手段と
をさらに有することを特徴とする請求項５または請求項６に記載の映像処理装置。
【請求項８】
前記グループ化手段および前記外部装置リソース管理手段は、前記指令手段によって指令を行うに先立って起動されることを特徴とする請求項６に記載の映像処理装置。
【請求項９】
音声データまたは動画像データの少なくとも一方を含む映像データの記録および編集を行う複数の映像処理装置が接続手段によって接続され、前記複数の映像処理装置のうち自らの映像処理装置が映像処理システムに備えられた他の映像処理装置へ映像処理の指令を行う働きをする指令装置を少なくとも１つ備える映像処理システムの映像処理方法であって、
前記指令装置の働きをする第１の映像処理装置は、自らの映像処理装置が指令装置であることを判断し、前記接続手段によって自らの映像処理装置と接続された他の映像処理装置である第２の映像処理装置のリソース情報を外部装置リソーステーブルに更新可能に記憶し、前記第２の映像処理装置のリソーステーブルに予め記憶されている前記第２の映像処理装置が通信可能か否かを判断し、通信可能と判断した外部装置を自らの映像処理装置のグループとし、ユーザからの操作入力に応じてグループとした前記第２の映像処理装置へ映像処理の指令を行い、
前記第２の映像処理装置は、前記第１の映像処理装置からの映像処理の指令に応じて映像処理を行うことを特徴とする映像処理方法。 
【発明の詳細な説明】
【技術分野】
【０００１】
本発明は、映像データの収録、再生、編集などの複数の処理を同時並行に行う映像処理システム、映像処理装置、及び映像処理装置に関する。
【背景技術】
【０００２】
地上デジタル放送の進展、通信・放送の融合が進展する中、益々放送分野におけるデジタル化が進んでいる。従来では、素材映像の収録には磁気テープを媒体として用いてきたが、デジタル化の進展、および半導体媒体による蓄積装置（フラッシュメモリ）の低価格化によって、フラッシュメモリを記録媒体とする映像処理装置の検討が進んでいる。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。
【０００３】
このテープレス化によって、これまで磁気テープを記録媒体としたシステムでは行えなかった複数の収録・再生処理などを同時に行うマルチタスク環境を実現できる期待が高まっている。複数の処理を同時に行うことで、例えば収録中の映像データを収録が完了した部分から編集を始めたり、収録中に既に収録が完了した他の素材映像の再生を行ったり、また、収録を行いながら別の映像データの編集を行ったりすることが可能となる。これにより、処理時間を短縮することができるため、放送番組の制作・編集作業を効率よく行えるようになる。
【０００４】
また、これらのマルチタスク環境は、一つの映像処理装置内で行うことができるだけでなく、複数の映像処理装置やノンリニア編集装置などの映像処理装置をデータバスやデータスイッチ、あるいはネットワーク等を介して接続し、複数の装置が連携したシステムを構築することが期待されている。例えば、従来ノンリニア編集装置で映像データの編集を行う場合は、映像処理装置で磁気テープに映像データを記録し、その磁気テープを搬送するかネットワーク経由によりファイル転送をして映像データをノンリニア編集装置へ記録し、ノンリニア編集装置に記録した映像データを編集してその映像データを記録媒体やネットワークを介して転送等を行っていた。このような動作は、映像処理装置と映像処理装置を接続させることで、磁気テープの搬送やネットワーク経由によるファイル転送を行わずにノンリニア編集装置が映像データの編集を行うようなシステムが構築できると期待されている。
【０００５】
そこで、テープレス化に伴い、高度な編集を行うことができるノンリニア編集装置も複数の素材サーバを接続して放送番組の編集作業を行うという技術が知られている（特許文献１）。
【先行技術文献】
【特許文献】
【０００６】
【特許文献１】特開２０００−８３１９２号公報
【発明の概要】
【発明が解決しようとする課題】
【０００７】
しかしながら、上記の従来技術では、複数の素材サーバやノンリニア編集装置を接続しただけではシステムとしてのマルチタスク環境は実現せず、アセット・マネージャなどの制御装置や映像データの標準形式へ映像データの変換を行うインターフェース部等、別途必要な装置を用意しなくてはならないという問題がある。
【０００８】
本発明は、上記問題点を解決するためになされたもので、接続された複数の映像処理装置の間でマルチタスク処理を行う映像処理システム、映像処理装置、および映像処理方法を提供することを目的とする。
【課題を解決するための手段】
【０００９】
上記目的を達成するために、本発明による映像処理システムは、音声データまたは動画像データの少なくとも一方を含む映像データの記録および編集を行う複数の映像処理装置と、前記複数の映像処理装置を接続する接続手段とを有し、前記映像処理装置には、前記接続手段によって自らの映像処理装置と接続された他の映像処理装置である外部装置のリソース情報を更新可能に記憶する外部装置リソーステーブルと、自らの映像処理装置のリソース情報を更新可能に記憶する自装置リソーステーブルと、前記外部装置リソーステーブルに予め記憶されている外部装置が通信可能か否かを判断し、通信可能と判断した外部装置を自らの映像処理装置のグループとするグループ化手段と、ユーザからの操作入力に応じて前記グループ化手段によってグループとされた他の映像処理装置へ映像処理の指令を行う指令手段と、自らの映像処理装置に係る自装置リソースを判断し、前記自装置リソースの情報を前記自装置リソーステーブルに記憶させる自装置リソース管理手段と、通信可能な外部装置の装置リソース情報である外部装置リソースを取得し、前記外部装置リソースを前記外部装置リソーステーブルに記憶させる外部装置リソース管理手段と、前記指令手段からの指令により前記外部装置へ映像データを送信する場合には、自らの映像処理装置の内部を流れる内部データに外部装置を制御する制御情報を付加し、前記外部装置から映像データを受信する場合には、自らの映像処理装置の外部の通信路を流れる外部データから自らの映像処理装置を制御する制御情報と映像データとを分離するデータ変換手段と、前記データ変換手段によって受信した映像データを記憶する記憶手段とを有することを特徴とする。
【００１０】
また、上記目的を達成するために、本発明による映像処理装置は、音声データまたは動画像データの少なくとも一方を含む映像データの記録および編集を行う映像処理装置を複数備える映像処理システムで使用される映像処理装置であって、前記接続手段によって自らの映像処理装置と接続された他の映像処理装置である外部装置のリソース情報を更新可能に記憶する外部装置リソーステーブルと、自らの映像処理装置のリソース情報を更新可能に記憶する自装置リソーステーブルと、前記外部装置リソーステーブルに予め記憶されている外部装置が通信可能か否かを判断し、通信可能と判断した外部装置を自らの映像処理装置のグループとするグループ化手段と、ユーザからの操作入力に応じて前記グループ化手段によってグループとされた他の映像処理装置へ映像処理の指令を行う指令手段と、自らの映像処理装置に係る自装置リソースを判断し、前記自装置リソースの情報を前記自装置リソーステーブルに記憶させる自装置リソース管理手段と、通信可能な外部装置の装置リソース情報である外部装置リソースを取得し、前記外部装置リソースを前記外部装置リソーステーブルに記憶させる外部装置リソース管理手段と、前記指令手段からの指令により前記外部装置へ映像データを送信する場合には、自らの映像処理装置の内部を流れる内部データに外部装置を制御する制御情報を付加し、前記外部装置から映像データを受信する場合には、自らの映像処理装置の外部の通信路を流れる外部データから自らの映像処理装置を制御する制御情報と映像データとを分離するデータ変換手段と、前記データ変換手段によって受信した映像データを記憶する記憶手段とを有することを特徴とする。
【００１１】
また、上記目的を達成するために、本発明による映像処理方法は、音声データまたは動画像データの少なくとも一方を含む映像データの記録および編集を行う複数の映像処理装置が接続手段によって接続され、前記複数の映像処理装置のうち自らの映像処理装置が映像処理システムに備えられた他の映像処理装置へ映像処理の指令を行う働きをする指令装置を少なくとも１つ備える映像処理システムの映像処理方法であって、前記指令装置の働きをする第１の映像処理装置は、自らの映像処理装置が指令装置であることを判断し、前記接続手段によって自らの映像処理装置と接続された他の映像処理装置である第２の映像処理装置のリソース情報を外部装置リソーステーブルに更新可能に記憶し、前記第２の映像処理装置のリソーステーブルに予め記憶されている前記第２の映像処理装置が通信可能か否かを判断し、通信可能と判断した外部装置を自らの映像処理装置のグループとし、ユーザからの操作入力に応じてグループとした前記第２の映像処理装置へ映像処理の指令を行い、前記第２の映像処理装置は、前記第１の映像処理装置からの映像処理の指令に応じて映像処理を行うことを特徴とする。
【発明の効果】
【００１２】
本発明によれば、接続された複数の映像処理装置の間でマルチタスク処理を行うことができる。
【図面の簡単な説明】
【００１３】
【図１】本発明の実施例１に係る映像処理システムの概略図。
【図２】本発明の一実施の形態に係る映像処理装置のブロック図。
【図３】本発明の一実施の形態に係る自装置リソーステーブルを示す図。
【図４】本発明の一実施の形態に係る外部装置リソーステーブルを示す図。
【図５】本発明の実施例１に係る映像処理システムの全体の動作を示すシーケンス図。
【図６】本発明の実施例２に係る映像処理システムの概略図。
【図７】本発明の実施例２に係る映像処理システムの全体の動作を示すシーケンス図。
【図８】本発明の実施例３に係る映像処理システムの概略図。
【図９】本発明の実施例３に係る映像処理システムの全体の動作を示すシーケンス図。
【図１０】本発明の実施例４に係る映像処理システムの概略図。
【図１１】本発明の実施例４に係る映像処理システムの全体の動作を示すシーケンス図。
【図１２】本発明の実施例５に係る映像処理システムの概略図。
【図１３】本発明の実施例５に係る映像処理システムの全体の動作を示すシーケンス図。
【図１４】本発明の実施例６に係る映像処理システムの概略図。
【図１５】本発明の実施例６に係る映像処理装置のブロック図。
【図１６】本発明の実施例６に係る映像処理システムの全体の動作を示すシーケンス図。
【発明を実施するための形態】
【００１４】
以下、本発明の実施例を、図面を参照して説明する。
【実施例１】
【００１５】
図１は、この発明に関わる映像処理システムの一例を示す。  
この映像処理システムは、映像処理装置１０１、１０２、１０３、１０４、１０５、１０６、および外部スイッチ２００で構成されている。図２の説明の際に詳述するが、映像処理装置１０１〜１０６は、同一の装置であり共通に備えられているネットワーク制御部９０およびネットワークインターフェース９５を用いて外部スイッチ２００に接続され、互いに外部スイッチ２００を介して接続されている。映像処理装置１００に共通のネットワーク制御部９０およびネットワークインターフェース９５を備えることによって、同一の映像処理装置を複数接続した映像処理システムを構成する際に、映像データの標準形式へ映像データの変換を行うインターフェース部を用意せずに、外部スイッチ２００または後述する公衆網４００などのネットワークへ接続するだけで、映像処理システムとしての機能を発揮することができるものである。
【００１６】
映像処理装置１０１〜１０６は、後述する映像処理装置１００と同一の映像処理装置である。実施例１では、説明の簡便のために映像処理装置に１０１〜１０６の符号を付した。この映像処理システムを構成する複数の映像処理装置１０１〜１０６は同一の装置であるが、映像処理システムを構成する際に、その働きによって２種類に分けられる。一方は、映像処理システムを構成する映像処理装置１０１〜１０６の装置リソースや通信帯域を取得して記憶し、その装置リソースや通信帯域を基に映像処理装置間の映像データ（動画像データ、静止画像データ及び音声データの少なくとも一方を含むもの）の送受信を制御し、図２の説明の際に詳述する映像操作部２０または映像操作装置１から入力された命令により、他の映像処理装置へ指令を行う指令装置である。他方は、指令装置からの指令に応じて動作する従属装置である。
【００１７】
本発明による映像処理システムには、少なくとも１つの映像処理装置が指令装置として働き、その他の装置が従属装置となる。実施例１では、指令装置として働く映像処理装置は、映像操作装置１が接続されている映像処理装置１０４であるものとし、従属装置として働く映像処理装置は、映像処理装置１０１、１０２、１０３、１０５、１０６であるものとする。指令装置の決定は、ここでは映像処理システムを構築した際に手動入力等によって決定されるものとする。
【００１８】
映像操作装置１は、ユーザが映像データの処理を指示するために用い、キーボード、マウス、ジョグダイヤル、操作スイッチ、リモートコントローラ等を含んでいてもよい。
【００１９】
なお、複数の映像処理装置のうちのどの映像処理装置を指令装置として働かせるかの決定は、複数の映像処理装置によって映像処理システムを構築する際に、映像操作装置１が接続された映像処理装置の自装置リソース管理部１０ａが、映像操作装置１が接続されたことを判断して、自らの映像処理装置が指令装置であることを判断するようにしてもよい。
【００２０】
映像処理装置１０１には、カメラ３ａが接続され、映像処理装置１０２にはカメラ３ｂが接続されている。また、映像処理装置１０３には、カメラ３ｃで撮影された映像データを記憶した外部メモリ５が接続され、映像処理装置１０４には外部表示装置２ａおよび映像操作装置１が接続され、映像処理装置１０５には外部表示装置２ｂが接続されている。
【００２１】
外部表示装置２ａ及び２ｂ（図２では表示装置２として表されている）は、再生された映像データを表示できる液晶ディスプレイ、プラズマディスプレイパネルや他の表示装置等であってもよい。外部表示装置２ａ及び２ｂは、必要に応じて音声出力できてもよい。
【００２２】
カメラ３ａ、３ｂ及び３ｃ（図２ではカメラ３として表されている）は、ＣＣＤあるいはＣＭＯＳイメージセンサを用いるデジタルカメラであってもよい。カメラ３ａ、３ｂ及び３ｃは、必要に応じて音声データを取得できてもよい。
【００２３】
外部スイッチ２００は、データ伝送経路を制御するデータ交換網やスイッチングハブを含んでもよい。
【００２４】
図２は、図１に示す映像処理システムを構築する映像処理装置の一実施の形態をブロック図を用いて示す。  
この映像処理装置１００（１０１〜１０６共通）は、装置制御部１０、レジスタ１１、映像操作部２０、表示制御部３０、表示部３１、映像再生部４０、外部メモリ制御部５０、内蔵メモリ制御部６０、内蔵メモリ（記憶手段）６１、外部出力インターフェース７０、外部入力インターフェース８０、映像符号化部８１、ネットワーク制御部９０、ネットワークインターフェース（データ変換手段）９５が備えられている。
【００２５】
装置制御部１０は、レジスタ１１、映像操作部２０、表示制御部３０、映像再生部４０、外部メモリ制御部５０、内蔵メモリ制御部６０、外部出力インターフェース０、外部入力インターフェース８０、映像符号化部８１、ネットワーク制御部９０と接続される。レジスタ１１は、装置の各部の制御用の情報を記憶しておくものであり、装置の各部の使用状況や通信リソースを記憶する自装置リソーステーブル１１ａが備えられている。装置制御部１０は、各部の使用状況を把握し、この自装置リソーステーブル１１ａに記憶する自装置リソース管理部（自装置リソース管理手段）１０ａを備えている。
【００２６】
また、装置制御部１０は、外部入力インターフェース８０に接続されたカメラ３により撮影された映像データを取り込み、その映像データを映像符号化部８１で符号化し、外部メモリ制御部５０を介して外部メモリ（記憶手段）５へ、または内蔵メモリ制御部６０を介して内蔵メモリ６１へ映像データを記憶するなど、装置全体を制御するものである。
【００２７】
また、装置制御部１０は、映像操作部２０に接続される外付けの映像操作装置１、外部出力インターフェース７０に接続される外部表示装置２、外部入力インターフェース８０に接続されるカメラ３、外部メモリ制御部５０に接続される外部メモリ５などの外付けの装置が接続されているか否かを判断するものである。このとき、自装置管理部１０ａが映像操作装置１が接続されたことを判断したとき、装置制御部１０は自らの映像処理装置が指令装置であることを判断する（指令装置判断手段）こともできる。さらに、装置制御部１０には、映像操作部２０または映像操作装置１から入力された命令によって、ネットワーク制御部９０に接続されるネットワークインターフェース９５を介してネットワーク４に接続される映像処理装置１００やその他の装置へ映像データの再生、転送、記録などを指令する指令部（指令手段）１０ｂが備えられている。なお、ネットワーク４は、図１に示す外部スイッチ２００や後述する公衆網４００など、複数の映像処理装置を接続する手段の総称とする。
【００２８】
映像操作部２０は、カメラ３で撮影された映像データを記録したりネットワークインターフェース９５から受信したりすることによって内蔵メモリ６１や外部メモリ５に記憶された映像データの再生・停止等の操作や、外部出力インターフェース７０へ映像データを出力するなどの操作を行うものである。この映像操作部２０には、さらに外付けの映像操作装置１を接続して映像操作装置１から入力された情報を基に映像データを操作することもできるようになっている。
【００２９】
表示制御部３０および映像再生部４０は、装置制御部１０によって実行させる制御処理を行うものである。映像再生部４０は、装置制御部１０による制御の下で、映像操作部２０を操作することによって入力された指示に従って、外部メモリ５または内蔵メモリ６１に記録された映像データの再生制御を行う。表示制御部３０には、表示部３１が接続され、再生された映像データは、表示制御部３０により表示部３１に出力される。表示部３０はＬＣＤ又はその他の表示装置を含んでいてもよい。また、装置制御部１０は、この再生された映像データを外部出力インターフェース７０を介して、外部出力インターフェース７０に接続される外部表示装置２に出力する。さらに、装置制御部１０は、ネットワーク制御部９０に接続されるネットワークインターフェース９５を介して、外部スイッチ（接続手段）２００や図２の説明で後述する公衆網（接続手段）４００などのネットワーク４に映像データの送受信を行うこともできる。
【００３０】
ネットワーク制御部９０には、ネットワークインターフェース９５を介して外部スイッチ２００や公衆網４００などのネットワーク４と接続して映像データや制御信号の送受信を行うために設けられたもので、外部装置リソース管理部９１、通信リソース管理部９２、外部装置リソーステーブル９３、グループ化部９４が備えられている。
【００３１】
グループ化部（グループ化手段）９４は、予め外部装置リソーステーブル９３に記憶されている映像処理装置１００がネットワーク４に接続されて使用可能な状態か否かを判断し、使用可能な状態であると判断すると、複数の映像処理装置１００を備える映像処理システムとしてグループ化するものである。
【００３２】
通信リソース管理部（通信リソース管理手段）９２は、ネットワーク４と通信する際の通信リソース（例えば通信帯域）の情報を、ネットワーク４へテストデータを送信して取得し、取得した通信リソースの情報を自装置リソーステーブル１１ａへ記憶するものである。
【００３３】
外部装置リソース管理部（外部装置リソース管理手段）９１は、グループ化部９４によってグループ化された映像処理装置１００の自装置リソースの情報をグループ化された映像処理装置１００へ要求して取得し、その情報を外部装置リソーステーブル９３へ記憶するものである。
【００３４】
このネットワーク制御部９０を備えることで、ネットワーク４と接続することによって同一の映像処理装置１００が複数連携する映像処理システムを構成することが可能となる。
【００３５】
また、ネットワークインタフェース９５は、他の映像処理装置１００と映像データや制御信号の送受信を行う際に映像データのデータ形式を変更するようになっている。映像データや制御信号を他の映像処理装置１００へ送信する場合は、自らの映像処理装置１００の内部を流れる映像データなどの内部データに、外部装置リソーステーブル９３に記憶された送信先の映像処理装置１００の識別情報であるシステムＩＤやＩＰアドレスなどのその映像データに係る制御情報等を付加し、外部スイッチ２００やネットワーク４などの通信路上を流れる外部データへ変換して送信する。また、他の映像処理装置１００から外部データを受信した場合は、システムＩＤやＩＰアドレスなどの制御情報等を分離し、映像データや制御信号を取込む。
【００３６】
このように、他の映像処理装置１００と送受信する映像データの形式を、送受信する際の映像データの標準形式へ変換せずに、映像データに制御情報を付加した外部データを送受信することにより、複数の映像処理装置１００が連携する映像処理システムの中で指令装置として働く映像処理装置１００は、他の映像処理装置１００を自らの映像処理装置１００に備えられた内蔵メモリ６１等のように制御を行うことができる。また、他の映像処理装置１００に対して制御する制御信号についても、映像データを外部データに変更したのと同様に、制御情報を付加して外部データに変更して他の映像処理装置１００と送受信することができる。従って、映像処理装置が複数接続した映像処理システムで、より連携した処理を行うことができる。
【００３７】
図３は、映像処理装置１００のレジスタ１１に備えられている自装置リソーステーブル１１ａの一例である。この自装置リソーステーブル１１ａには、装置制御部１０によって、映像処理装置１００の通信リソース及び装置リソースのステータス情報が記憶される。装置リソースは、（外部入力インターフェース８０によって接続される）外部入力、（外部出力インターフェース７０によって接続される）外部出力、内蔵メモリ６１、外部メモリ５、映像再生部４０、表示部３１等を含む。通信リソースは、映像処理装置１００の通信帯域を含む。ここでは、外部出力、映像再生部、表示部は、使用可能状態を示す「○」が記憶されており、外部入力、内蔵メモリ、外部メモリは、使用不可能状態を示す「×」と記憶されている。また、通信リソースである通信帯域は、「１０Ｍｂｐｓ」であることを示している。自装置リソーステーブル１１ａは、自装置リソースが変化する度に更新されるようになっている。
【００３８】
図４は、映像処理装置１００のネットワーク制御部９０に備えられている外部装置リソーステーブル９３の一例である。この外部装置リソーステーブル９３には、映像処理装置１００とネットワーク４を介して映像処理システムを構成する映像処理装置１００の識別情報であるＩＰアドレスが予め記憶されている。これらの外部装置のうち、グループ化部９４によって自らの映像処理装置１００と通信可能と判断して、自らの映像処理装置１００とグループ化された外部装置は、外部装置リソース管理部９１によって、外部装置リソーステーブル９３の外部入力、外部出力、内蔵メモリ、外部メモリ、映像再生部、表示部、帯域の項目にそれぞれ記憶する。
【００３９】
ここでは、ＩＰアドレスが「ａ．ａ．ａ．ａ」の映像処理装置１００は、外部入力、外部出力、内蔵メモリ、外部メモリ、映像再生部、表示部が使用可能状態であることを示す「○」が記憶されており、通信リソースである通信帯域は、「１０Ｍｂｐｓ」であることを示している。また、ＩＰアドレスが「ｂ．ｂ．ｂ．ｂ」の映像処理装置１００は、内蔵メモリおよび表示部が使用可能状態であることを示す「○」が記憶されており、外部入力、外部出力、外部メモリ、および映像再生部が使用不可能状態であることを示す「×」が記憶されており、通信リソースである通信帯域は、「５０Ｍｂｐｓ」であることを示している。
【００４０】
そして、あらかじめ外部装置リソーステーブル８３にＩＰアドレスが記憶されている外部装置（ここでは４つの装置）の全ての項目に「○」、「×」または通信帯域を示す数値が記憶されていることから、自らの映像処理装置１００は、これらの全ての外部装置と通信可能であることを示している。この外部装置リソーステーブル９３は、映像処理システムが構築され指令装置として働く映像処理装置１００がグループ化を行う際に外部装置リソースを取得して更新されるものである。また、この外部装置の装置リソースの情報は、グループ化を行う場合だけでなく、指令装置が従属装置である各映像処理装置へ指令する前にも取得して、外部装置リソーステーブル９３を更新するようにしてもよい。
【００４１】
この映像処理システムで行う処理の例として、カメラ３ｂで撮影した映像をカメラ３ｂに接続した外部メモリ５に記録し、この外部メモリ５を映像処理装置１０２に接続し、映像処理装置１０２に接続された外部スイッチ２００を介して映像処理装置１０３で受信してその内蔵メモリに記録し、カメラ３ａで撮影された映像データを外部スイッチ２００を介して映像処理装置１０５で受信してその内蔵メモリに記録し、映像処理装置１０５の内蔵メモリに記録された映像データを映像処理装置１０６の内蔵メモリへ転送し、映像処理装置１０３の外部メモリ５に記録された映像データを映像処理装置１０６の内蔵メモリへ転送し、映像処理装置１０６は、映像処理装置１０６に記録されている映像データをネットワークインターフェースを介して映像処理システム外へ送出することが挙げられる。
【００４２】
図５は、この映像処理システムの全体の処理の流れを示したものとする。  
まず、映像処理装置１０４は指令装置と決定されて設定されているので、映像処理装置１０４はその設定に基づいて自らの映像処理装置が指令装置であることを認識する。指令装置であることを認識した映像処理装置１０４は、予め外部装置リソーステーブル９３に記憶されている映像処理装置１０１、１０２、１０３、１０５、１０６をグループ化するためのデータを送信する（Ｓ１０１、Ｓ１０２、Ｓ１０３、Ｓ１０４、Ｓ１０５）。グループ化される装置のＩＰアドレスやシステムＩＤといった情報は、外部装置リソーステーブル９３に記憶されている。送信するデータの宛先は、映像処理装置１０１、１０２、１０３、１０５、１０６へ送信することができるマルチキャストまたはアドレスリストを用いて宛先設定する。そのデータに映像処理装置１０１、１０２、１０３、１０５、１０６が応答することによって映像処理装置１０１、１０２、１０３、１０５、１０６の装置リソースの情報を取得する（Ｓ１０６、Ｓ１０７、Ｓ１０８、Ｓ１０９、Ｓ１１０）。装置リソースの情報を取得した映像処理装置１０４は、図４を一例とする外部装置リソーステーブル９３に装置リソースの情報を記憶する。なお、この外部装置の装置リソースの情報は、グループ化を行う場合だけでなく、指令装置が従属装置である各映像処理装置へ指令する前にも取得するようにしてもよい。また、自らの映像処理装置１０４の装置リソースを取得し、図３を一例とする自装置リソーステーブル１１ａに記憶する。
【００４３】
映像処理装置１０４は、映像処理装置１０２に接続されたカメラ３ｂで映像データを撮影し、映像処理装置１０３の外部メモリ５へ記録するように映像処理装置１０２、１０３へ指令し（Ｓ１１１、Ｓ１１２）、カメラ３ｂで映像データを撮影して外部メモリ５へ記録する（Ｓ１１３）。
【００４４】
映像処理装置１０４は、映像処理装置１０１に接続されたカメラ３ａで映像データを撮影し、映像処理装置１０５の内蔵メモリへ記録するように映像処理装置１０１、１０５へ指令し（Ｓ１１４、Ｓ１１５）、カメラ３ａで映像データを撮影して映像処理装置１０５の内蔵メモリへ記録する（Ｓ１１６）。
【００４５】
映像処理装置１０４は、映像処理装置１０５の内蔵メモリに記録された映像データを映像処理装置１０６の内蔵メモリへ転送することを映像処理装置１０５、１０６へ指令し（Ｓ１１７、Ｓ１１８）、映像データを転送する（Ｓ１１９）。
【００４６】
映像処理装置１０４は、映像処理装置１０３に接続された外部メモリ５に記録された映像データを映像処理装置１０６の内蔵メモリに転送することを映像処理装置１０３、１０６へ指令し（Ｓ１２０、Ｓ１２１）、映像データを転送する（Ｓ１２２）。
【００４７】
映像データを映像処理装置１０６に転送し終わると、映像処理装置１０４は映像処理装置１０６の内蔵メモリに記録されている映像データを映像処理システムの外に送出することを指令し（Ｓ１２３）、映像処理装置１０６は映像データを送出する（Ｓ１２４）。
【００４８】
このように、映像処理装置１００に共通のネットワーク制御部９０およびネットワークインターフェース９５を備えることによって、同一の映像処理装置を複数接続した映像処理システムを構成する際に、映像データの標準形式へ映像データの変換を行うインターフェース部を用意せずに、外部スイッチまたは公衆網などのネットワークへ接続するだけで、映像処理システムとしての機能を発揮することができる。
【００４９】
また、映像処理システムに備えられた複数の映像処理装置のうちの少なくとも１つの映像処理装置を指令装置として働かせることで、アセット・マネージャなどの制御装置を備えることなく映像処理システムの制御を行うことができる。
【実施例２】
【００５０】
実施例１では、カメラ３を用いて撮影した映像データをカメラ３が接続する映像処理装置の内蔵メモリに記録し、記録した映像データを映像処理システム外へ送出する例を示した。その他の映像処理システムの応用例として、実施例２では、カメラで映像データを撮影し映像処理装置の内蔵メモリまたは外部メモリに記録する際に、その内蔵メモリまたは外部メモリの空き容量がゼロに近づいたとき、映像処理システム内の他の映像処理装置の内蔵メモリまたは外部メモリへ記録先を変更する場合を示す。このような映像処理システムを構成することで、映像処理装置１００を単体で使用するよりも記録する内蔵メモリまたは外部メモリをより柔軟に変更でき、内蔵メモリまたは外部メモリの容量不足による記録の失敗を防ぐことができるようにしている。
【００５１】
なお、映像処理装置１００の構成は、実施例１と同じであるため、同一符号を付して説明を省略する。
【００５２】
図６は、この発明に関わる映像処理システムの一例を示す。  
この映像処理システムは、映像処理装置１０７、１０８、１０９、１１０（映像処理装置１００と同一）、および外部スイッチ２００で構成されている。映像処理装置１０７〜１１０は、同一の装置であり共通に備えられているネットワーク制御部９０およびネットワークインターフェース９５を用いて外部スイッチ２００に接続され、互いに外部スイッチ２００を介して接続されている。映像処理装置１０７にはカメラ３が接続され、映像処理装置１１０には外部表示装置２および映像操作装置１が接続されている。実施例２では、指令装置として働く映像処理装置は、映像操作装置１が接続されている映像処理装置１１０であるものとし、従属装置として働く映像処理装置は、映像処理装置１０７、１０８、１０９であるものとする。
【００５３】
この映像処理システムで行う処理の例として、カメラ３で映像を撮影し映像処理装置１０７の内蔵メモリに記録する際に、その内蔵メモリの空き容量がゼロに近づいたとき、映像処理システム内の他の映像処理装置の内蔵メモリへ記録先を変更する場合を図７を参照して説明する。
【００５４】
図７は、図６における映像処理システムの全体の処理の流れを示す。  
まず、映像処理装置１１０は指令装置と決定されて設定されているので、映像処理装置１１０はその設定に基づいて自らの映像処理装置が指令装置であることを認識する。指令装置であることを認識した映像処理装置１１０は、予め外部装置リソーステーブル９３に記憶されている映像処理装置１０７〜１０９をグループ化するためのデータを送信する（Ｓ２０１、Ｓ２０２、Ｓ２０３）。送信するデータの宛先は、映像処理装置１０７〜１０９へ送信することができるマルチキャストまたはアドレスリストを用いて宛先設定する。
【００５５】
そのデータに映像処理装置１０７〜１０９が応答することによって映像処理装置１０７〜１０９の装置リソースの情報を取得する（Ｓ２０４、Ｓ２０５、Ｓ２０６）。装置リソースの情報を取得した映像処理装置１１０は、実施例１と同様に外部装置リソーステーブル９３へ装置リソースの情報を記憶する。なお、この外部装置の装置リソースの情報は、グループ化を行う場合だけでなく、指令装置が従属装置である各映像処理装置へ指令する前にも取得するようにしてもよい。また、自らの映像処理装置１１０の装置リソースを取得し、図２を一例とする自装置リソーステーブル１１ａに記憶する。
【００５６】
映像処理装置１１０は、映像処理装置１０７に接続されたカメラ３で映像データを撮影し、映像処理装置１０７の内蔵メモリへ記録するように映像処理装置１０７へ指令し（Ｓ２０７）、映像処理装置１０７は自らの内蔵メモリへ記録する（Ｓ２０８）。
【００５７】
映像処理装置１０７は、自らの内蔵メモリの空き容量が予め設定されている残りＴ１秒分の容量になると、自装置リソースを管理する装置制御部１０が判断（残容量判断手段）し、Ｔ１秒後に空き容量がゼロになることを装置制御部１０又は司令部１０ｂが映像処理装置１１０へ通知する（Ｓ２０９）。この通知を受信した映像処理装置１１０は、内蔵メモリの空き容量がある映像処理装置１０８へ記録先を変更するために、Ｔ１秒後に記録先を変更することを変更先である映像処理装置１０８および映像を撮影しているカメラ３が接続する映像処理装置１０７へ要求する（Ｓ２１０、Ｓ２１１）。Ｔ１秒を経過すると、映像処理装置１０７の内蔵メモリから映像処理装置１０８の内蔵メモリへ記録先を変更（切替手段）し、映像処理装置１０７はカメラ３が撮影した映像データを映像処理装置１０８の内蔵メモリへ転送する（Ｓ２１２）。
【００５８】
映像処理装置１０８は、自らの内蔵メモリの空き容量が残りＴ２秒分の容量になると、Ｔ２秒後に空き容量がゼロになることを映像処理装置１１０へ通知する（Ｓ２１３）。この通知を受信した映像処理装置１１０は、内蔵メモリの空き容量がある映像処理装置１０９へ記録先を変更するために、Ｔ２秒後に記録先を変更することを変更先である映像処理総理１０９および映像データの転送元である映像処理装置１０８へ要求する（Ｓ２１４、Ｓ２１５）。Ｔ２秒を経過すると、映像処理装置１０８の内蔵メモリから映像処理装置１０９の内蔵メモリへ記録先を変更し、映像処理装置１０７はカメラ３が撮影した映像データを映像処理装置１０９へ転送する（Ｓ２１６）。
【００５９】
記録を終了する場合は、映像処理装置１１０が映像処理装置１０７へ記録終了を要求し（Ｓ２１７）、映像処理装置１０７は記録を終了したことを映像処理装置１１０へ通知する（Ｓ２１８）。
【００６０】
このようにすることで、映像処理装置１００を単体で使用するよりも記録先をより柔軟に変更でき、内蔵メモリまたは外部メモリの容量不足による記録の失敗を防ぐことができる。
【実施例３】
【００６１】
実施例３では、他の映像処理システムの応用例として、指令装置である映像処理装置から他の映像処理装置へ同一の映像データを転送する場合を示す。
【００６２】
なお、映像処理装置の構成は、実施例１と同じであるため、同一符号を付して説明を省略する。
【００６３】
図８は、この発明に関わる映像処理システムの一例を示す。  
この映像処理システムは、映像処理装置１１１、１１２、１１３、１１４（映像処理装置１００と同一）、および外部スイッチ２００で構成されている。映像処理装置１１１〜１１４は、同一の装置であり共通に備えられているネットワーク制御部９０およびネットワークインターフェース９５を用いて外部スイッチ２００に接続され、互いに外部スイッチ２００を介して接続されている。映像処理装置１１１〜１１４には内蔵メモリ６１ａ、６１ｂ、６１ｃ、６１ｄがそれぞれ備えられ、映像処理装置１１４には外部表示装置２および映像操作装置１が接続されている。実施例３では、指令装置として働く映像処理装置は、映像操作装置１が接続されている映像処理装置１１４であるものとし、従属装置として働く映像処理装置は、映像処理装置１１１〜１１３であるものとする。
【００６４】
この映像処理システムで行う処理の例として、指令装置である映像処理装置１１４から指令を行い、他の映像処理装置へ同一の映像データを転送する場合を図９を参照して説明する。
【００６５】
図９は、図８における映像処理システムの全体の処理の流れを示す。  
まず、映像処理装置１１４は映像操作装置１が接続されていることを判断して自らの映像処理装置１１４が指令装置であることを認識する。指令装置であることを認識した映像処理装置１１４は、予め外部装置リソーステーブル９３に記憶されている映像処理装置１１１、１１２、１１３をグループ化するためのデータを送信する（Ｓ３０１、Ｓ３０２、Ｓ３０３）。送信するデータの宛先は、映像処理装置１１１、１１２、１１３へ送信することができるマルチキャストまたはアドレスリストを用いて宛先設定する。そのデータに映像処理装置１１１、１１２、１１３が応答することによって映像処理装置１１１、１１２、１１３の装置リソースの情報を取得する（Ｓ３０４、Ｓ３０５、Ｓ３０６）。装置リソースの情報を取得した映像処理装置１１４は、外部装置リソーステーブル９３へ装置リソースの情報を記憶する。
【００６６】
映像処理装置１１４は、自らの内蔵メモリ６１ｄに記録されている映像データを映像処理装置１１３の内蔵メモリ６１ｃへ転送することの通知を映像処理装置１１３へ送信し（Ｓ３０７）、映像データを映像処理装置１１４から映像処理装置１１３の内蔵メモリ６１ｃへ転送する（Ｓ３０８）。映像処理装置１１４は、自らの内蔵メモリ６１ｄに記録されている映像データを映像処理装置１１２の内蔵メモリ６１ｂへ転送することの通知を映像処理装置１１２へ送信し（Ｓ３０９）、映像データを映像処理装置１１４から映像処理装置１１２の内蔵メモリ６１ｂへ転送する（Ｓ３１０）。映像処理装置１１４は、自らの内蔵メモリ６１ｄに記録されている映像データを映像処理装置１１１の内蔵メモリ６１ａへ転送することの通知を映像処理装置１１４へ送信し（Ｓ３１１）、映像データを映像処理装置１１４から映像処理装置１１１の内蔵メモリ６１ａへ転送する（Ｓ３１２）。
【００６７】
このようにすることで、ネットワークを介して映像データを転送する際に、映像処理装置１１１、１１２、１１３、１１４に共通のネットワーク制御部９０を備えることによって、映像データの標準形式へ映像データの変換を行うインターフェース部を用意せずに、内蔵メモリまたは外部メモリに記録した映像データのまま転送することができる。
【実施例４】
【００６８】
実施例４では、他の映像処理システムの応用例として、２台の映像処理装置が公衆網を介して接続された映像処理システムを示す。公衆網４００は、インターネット、ＬＡＮ、ＷＡＮ、及びその他の有線又は無線のネットワークを含んでもよい。公衆網４００を介して映像処理システムを構成することで、２台の映像処理装置が互いに遠方に備えられている場合にも映像処理システムを構築することができるようになる。ここでは、カメラ３で撮影している映像データを公衆網４００を介して接続された映像処理装置の内蔵メモリへ記録する場合を示す。
【００６９】
なお、映像処理装置の構成は、実施例１と同じであるため、同一符号を付して説明を省略する。
【００７０】
図１０は、この発明に関わる映像処理システムの一例を示す。
【００７１】
この映像処理システムは、映像処理装置１１５、１１６（映像処理装置１００と同一）、および公衆網４００で構成されている。映像処理装置１１５、１１６は、同一の装置であり共通に備えられているネットワーク制御部９０およびネットワークインターフェース９５を用いて公衆網４００に接続され、互いに公衆網４００を介して接続されている。映像処理装置１１５にはカメラ３が接続され、映像処理装置１１６には外部表示装置２および映像操作装置１が接続されている。実施例４では、指令装置として働く映像処理装置は、映像操作装置１が接続されている映像処理装置１１６であるものとし、従属装置として働く映像処理装置は、映像処理装置１１５であるものとする。
【００７２】
この映像処理システムで行う処理の例として、ここではカメラで撮影している映像データを公衆網４００を介した映像処理装置１１６の内蔵メモリへ記録する場合を図１１を参照して説明する。
【００７３】
図１１は、図１０における映像処理システムの全体の処理の流れを示す。  
まず、映像処理装置１１６は映像処理装置１１５へ通信リソースの情報を要求する（Ｓ４０１）。映像処理装置１１６は自らの通信帯域の値ｙを確認し（Ｓ４０２）、映像処理装置１１５は自らの通信帯域の値ｘを確認する（Ｓ４０３）。映像処理装置１１５は、確認した自らの通信帯域の値ｘの情報を映像処理装置１１６へ通知する（Ｓ４０４）。映像処理装置１１６は、映像処理装置１１５の通信帯域ｘと自らの通信帯域の値ｙとを比較し、ｙ＜ｘであるか判断する（Ｓ４０５）。ｙ＞ｘである場合は、通信リソースが不足するため、その映像処理装置１１６への記録を中止する。ｙ＜ｘであると判定すると、映像処理装置１１６は、映像処理装置１１５に接続されているカメラ３で撮影する映像データを映像処理装置１１６の内蔵メモリへ記録することを要求する（Ｓ４０６）。映像処理装置１１６からの要求を受信した映像処理装置１１５は、映像処理装置１１６の内蔵メモリへ映像データを送信し（Ｓ４０７）、映像処理装置１１６の内蔵メモリへ記録する（Ｓ４０８）。
【００７４】
記録を終える場合は、映像処理装置１１６から記録終了を要求する通知を映像処理装置１１５へ送信し（Ｓ４０９）、映像処理装置１１５は映像処理装置１１６へ応答して記録を終了する（Ｓ４１０）。
【００７５】
このように、映像処理装置１１５、１１６を公衆網４００を介して接続して映像データの送受信をできるようにネットワーク制御部９０およびネットワークインターフェース９５を各々の映像処理装置１１５、１１６に備えることによって、映像処理装置１１５、１１６が互いに遠方に設置された場合でも、映像処理システムを構成して映像処理を行うことができる。
【００７６】
また、映像データの送受信を通常の映像出力部から出力する場合は、その専用コードや専用回線が必要となるため、遠方の映像処理装置１１５、１１６を接続するには、専用回線を敷設する必要が生じるが、既に敷設された公衆網４００を介して接続可能なため、複数の映像処理装置を公衆網に接続するのみで、映像処理システムを構築することができる。
【実施例５】
【００７７】
実施例５では、公衆網を介した映像処理システムの他の応用例として、映像処理装置が公衆網を介して４台接続された映像処理システムを示す。このような映像処理システムを構成すると、例えば地方の放送局のスタジオが地方の放送局を統括する放送局から遠隔地にあっても、統括する放送局に設置されている映像処理装置１００を指令装置として使用することで、統括する放送局から収録の開始や停止等を指令して映像データを記録する場合などに有効である。
【００７８】
ここでは、夫々のカメラが接続されている３台の映像処理装置を、公衆網４００を介して接続された映像処理装置から指令して収録の開始および停止をし、その映像データをモニターする場合を示す。
【００７９】
なお、映像処理装置の構成は、実施例１と同じであるため、同一符号を付して説明を省略する。
【００８０】
図１２は、この発明に関わる映像処理システムの一例を示す。  
この映像処理システムは、映像処理装置１１７、１１８、１１９、１２０がネットワークインターフェース９５によって公衆網４００を介して接続されている。映像処理装置１１７、１１８、１１９には夫々カメラ３ａ、３ｂ、３ｃが接続され、映像処理装置１２０には外部表示装置２および映像操作装置１が接続されている。実施例５では、指令装置として働く映像処理装置は、映像操作装置１が接続されている映像処理装置１２０であるものとし、従属装置として働く映像処理装置は、映像処理装置１１７〜１１９であるものとする。
【００８１】
この映像処理システムで行う処理の例として、ここではカメラ３ａ、３ｂ、３ｃで撮影している映像データを、公衆網を介した映像処理装置１２０の外部表示装置２に表示させてモニターしながら、カメラ３ａ、３ｂ、３ｃからの映像データの記録開始および記録終了を映像処理装置１２０が指令する場合を図１３を参照して説明する。
【００８２】
図１３は、図１２における映像処理システムの全体の処理の流れを示す。  
まず、映像処理装置１２０は映像操作装置１が接続されていることを判断して自らの映像処理装置１２０が指令装置であることを認識する。
【００８３】
指令装置であることを認識した映像処理装置１２０は、予め外部装置リソーステーブル９３に記憶されている映像処理装置１１７、１１８、１１９へマルチキャストまたはアドレスリストを用いてグループ化を行い（Ｓ５０１、Ｓ５０２、Ｓ５０３）、装置リソースの情報を取得する（Ｓ５０４、Ｓ５０５、Ｓ５０６）。装置リソースの情報を取得した映像処理装置１２０は、外部装置リソーステーブル９３へ装置リソースの情報を記憶する。
【００８４】
映像処理装置１２０は、映像処理装置１１９へカメラ３ｃからの映像データをモニターすることを要求する（Ｓ５０７）。映像処理装置１１９は、映像処理装置１２０へカメラ３ｃからの映像を流し（Ｓ５０８）、映像処理装置１２０に接続された外部表示装置２に映像データを表示する。
【００８５】
映像処理装置１２０に接続された外部表示装置２にカメラ３ｃからの映像データが表示されると、この映像データをユーザが確認して映像処理装置１１９の内蔵メモリへ記録を開始する操作を行い、映像処理装置１２０は映像処理装置１１９へ映像処理装置１１９の内蔵メモリへ記録を開始することを要求する（Ｓ５０９）。映像処理装置１２０は、記録を開始することを要求すると、カメラ３ｃからの映像データのモニターを終了することを要求する（Ｓ５１０）。
【００８６】
次に、映像処理装置１２０は、映像処理装置１１８へカメラ３ｂからの映像データをモニターすることを要求する（Ｓ５１１）。映像処理装置１１８は、映像処理装置１２０へカメラ３ｂからの映像データを流し（Ｓ５１２）、映像処理装置１２０に接続された外部表示装置２に映像データを表示する。
【００８７】
映像処理装置１２０に接続された外部表示装置２にカメラ３ｂからの映像データが表示されると、この映像データをユーザが確認して映像処理装置１１８の内蔵メモリへ記録を開始する操作を行い、映像処理装置１２０は映像処理装置１１８へ映像処理装置１１８の内蔵メモリへ記録を開始することを要求する（Ｓ５１３）。映像処理装置１２０は、記録を開始することを要求すると、カメラ３ｃからの映像データのモニターを終了することを要求する（Ｓ５１４）。
【００８８】
次に、映像処理装置１２０は、映像処理装置１１９へカメラ３ｃからの映像データをモニターすることを要求する（Ｓ５１５）。映像処理装置１１９は、映像処理装置１２０へカメラ３ｃからの映像データを流し（Ｓ５１６）、映像処理装置１２０に接続された外部表示装置２に映像データを表示する。
【００８９】
映像処理装置１２０に接続された外部表示装置２にカメラ３ｃからの映像データが表示されると、この映像データをユーザが確認して映像処理装置１１９の内蔵メモリへの記録を終了する操作を行い、映像処理装置１２０は映像処理装置１１９へ映像処理装置１１９の内蔵メモリへの記録を終了することを要求する（Ｓ５１７）。映像処理装置１２０は、記録を開始することを要求すると、カメラ３ｃからの映像のモニターを終了することを要求する（Ｓ５１８）。
【００９０】
その後、映像処理装置１２０は、映像処理装置１１７へカメラ３ａからの映像データをモニターすることを要求する（Ｓ５１９）。映像処理装置１１７は、映像処理装置１２０へカメラ３ａからの映像データを流し（Ｓ５２０）、映像処理装置１２０に接続された外部表示装置２に映像データを表示する。
【００９１】
映像処理装置１２０に接続された外部表示装置２にカメラ３ａからの映像データが表示されると、この映像データをユーザが確認して映像処理装置１１７の内蔵メモリへ記録を開始する操作を行い、映像処理装置１２０は映像処理装置１１７へ映像処理装置１１７の内蔵メモリへ記録を開始することを要求する（Ｓ５２１）。
【００９２】
映像処理装置１２０は、映像処理装置１１８の内蔵メモリへの記録を終了させる要求を映像処理装置１１８へ送信し（Ｓ５２２）、映像処理装置１１７の内蔵メモリへの記録を終了させる要求を映像処理装置１１７へ送信する（Ｓ５２３）。また、映像処理装置１２０は、カメラ３ａからの映像データのモニターを終了することを要求する（Ｓ５２４）。
【００９３】
このように、指令装置である映像処理装置１２０を公衆網４００に接続し、その公衆網に複数の映像処理装置１１７、１１８、１１９を接続して映像処理システムを構成すると、複数の遠隔地のカメラ３ｃからの映像データをモニターして記録を指令し、記録を行いながらモニターを切替して別のカメラ３ｂからの映像データをモニターしてその映像データの記録を指令することができる。このような映像処理システムは、放送局のスタジオが遠隔地であっても、指令装置がある放送局から指令して映像データを記録する場合などに有効である。
【実施例６】
【００９４】
実施例６では、公衆網を介した映像処理システムの他の応用例として、ノンリニア編集装置が複数の映像処理装置と外部スイッチを介して接続された映像処理システムを示す。実施例１乃至実施例５では、同一の映像処理装置を複数組み合わせた映像処理システムの例を示したが、映像処理装置に備えられているネットワーク制御部９０およびネットワークインターフェース９５を共通に備える機器を映像処理システムに組み込むことで、より柔軟に映像処理を行うことができる。ここでは、外部スイッチ２００を介して接続された複数の映像処理装置１００の内蔵メモリまたは外部メモリに記憶されている映像データに対して、映像処理装置に備えられているネットワーク制御部９０およびネットワークインターフェース９５を共通に備える編集装置であるノンリニア編集装置３００が編集を行う場合を示す。
【００９５】
なお、映像処理装置の構成は、実施例１と同じであるため、同一符号を付して説明を省略する。
【００９６】
図１４は、この発明に関わる映像処理システムの一例を示す。  
この映像処理システムは、映像処理装置１２１、１２２、１２３、およびノンリニア編集装置３００がネットワークインターフェース９５によって外部スイッチ２００を介して接続されている。映像処理装置１２１、１２３には内蔵メモリ６１ａ、６１ｂがそれぞれ備えられ、映像処理装置１２２には外部メモリ５が接続されている。また、映像処理装置１２３には外部表示装置２および映像操作装置１が接続されている。実施例６では、指令装置として働く映像処理装置は、映像操作装置１が接続されている映像処理装置１２３であるものとし、従属装置として働く映像処理装置は、映像処理装置１２１、１２２であるものとする。
【００９７】
図１５は、映像処理システムが有するノンリニア編集装置３００のブロック図を示す。  
この映像処理装置３００は、編集部３２０、制御部３１０、編集部３２０、操作部３３０、映像データ記憶部３４０、表示部３６０、レジスタ３７０、ネットワーク制御部９０、ネットワークインターフェース（データ変換手段）９５が備えられている。
【００９８】
制御部３１０は、操作部３３０、表示部３６０、レジスタ３７０、ネットワーク制御部９０と接続される。レジスタ３７０は、ノンリニア編集装置３００の各部の制御用の情報を記憶しておくものであり、ノンリニア編集装置３００の各部の使用状況や通信リソースを記憶する自装置リソーステーブル１１ａが備えられている。制御部１０は、各部の使用状況を把握し、この自装置リソーステーブル１１ａに記憶する（自装置リソース管理手段）。
【００９９】
また、制御部３１０は、操作部３３０から入力された編集を示す操作情報に応じて、ネットワークインターフェース９５を介して接続された例えば映像処理装置１２１の内部メモリに記録されている映像データや映像データ記憶部３４０に記録されている映像データを編集部３２０を用いて編集したり、編集中の映像データを表示部３６０へ表示するなど、ノンリニア編集装置全体および外部装置を制御したりするものである。
【０１００】
操作部３３０は、ネットワークインターフェース９５を介して接続された映像処理装置１２１の映像データ記憶メモリに記録されている映像データや映像データ記憶手段３４０に記録されている映像データを編集する操作などを行うものである。
【０１０１】
表示部３６０は、制御部３１０によって実行させる制御処理を行うものである。また、制御部３１０は、ネットワーク制御部９０に接続されるネットワークインターフェース９５を介して、外部スイッチや公衆網などのネットワークに映像データの送受信を行うこともできる。
【０１０２】
なお、ネットワーク制御部９０は、実施例１の映像処理装置１００に備えられたネットワーク制御部９０と同じであるため、同一符号を付して説明を省略する。このネットワーク制御部９０を映像処理装置３００にも備えることで、ネットワーク４と接続して映像処理装置１００と連携する映像処理システムを構成することが可能となる。また、自装置リソーステーブル１１ａ及び外部装置リソーステーブル９３の例は、実施例１で示した図２および図３と同じであるため、同一符号を付して説明を省略する。
【０１０３】
次に、この映像処理システムで行う処理の例として、指令装置である映像処理装置１２３が映像処理装置１２１、１２２を自らの映像処理装置１２３とグループ化し、ノンリニア編集装置３００がこのグループ化した映像処理装置１２１、１２２、１２３の内蔵メモリ６１ａ、６１ｂ、外部メモリ５に記憶されている映像データに対してノンリニア編集装置３００が編集を行う場合を図１６を参照して説明する。
【０１０４】
図１６は、図１４における映像データ処理システムの全体の処理の流れを示す。  
まず、映像処理装置１２３は映像操作装置１が接続されていることを判断して自らの映像処理装置１２３が指令装置であることを認識する。指令装置であることを認識した映像処理装置１２３は、予め外部装置リソーステーブル９３に記憶されている映像処理装置１２１、１２２へ実施例１と同様にマルチキャストまたはアドレスリストを用いてグループ化を行い（Ｓ６０１、Ｓ６０２）、装置リソースの情報を取得する（Ｓ６０３、Ｓ６０４）。装置リソースの情報を取得した映像処理装置１２３は、外部装置リソーステーブル９３へ装置リソースの情報を記憶する。
【０１０５】
映像処理装置１２１、１２２、１２３がグループ化されている状態で、ノンリニア編集装置３００がこのグループへログインするために、このグループの指令装置である映像処理装置１２３へログイン要求を行う（Ｓ６０５）。ログインを要求された映像処理装置１２３は、ノンリニア編集装置３００のログインを許可する場合は、映像処理装置１２１、１２２、１２３の装置リソースに応じた映像処理装置１２１、１２２、１２３へのアクセス条件をノンリニア編集理装置３００へ通知する（Ｓ６０６）。
【０１０６】
このアクセス条件が、例えば映像処理装置１２１、１２３の夫々の内蔵メモリ６１ａ、６１ｂ、及び映像処理装置１２２に接続されている外部メモリ５の夫々に記憶されている映像データを編集可能であるとする。ノンリニア編集装置３００は、このアクセス条件を受信すると、映像処理装置１２３の内蔵メモリ６１ｂに記憶されている映像データを読み出すことを映像処理装置１２３へ要求し（Ｓ６０７）、映像処理装置１２３はノンリニア編集装置３００へ映像データを読み出しさせる（Ｓ６０８）。また、ノンリニア編集装置３００は、映像処理装置１２２の外部メモリ５に記憶されている映像を読み出すことを映像処理装置１２２へ要求し（Ｓ６０９）、映像処理装置１２２はノンリニア編集装置３００へ映像データを読み出しさせる（Ｓ６１０）。さらに、ノンリニア編集装置３００は、映像処理装置１２１の内蔵メモリ６１ａに記憶されている映像データを読み出すことを映像処理装置１２１へ要求し（Ｓ６１１）、映像処理装置１２１はノンリニア編集装置３００へ映像データを読み出しさせる（Ｓ６１２）。
【０１０７】
映像処理装置３００が内蔵メモリ６１ａ、６１ｂ、及び外部メモリ５に記憶されている映像データの編集を終了する場合は、指令装置である映像処理装置１２３へログアウト要求を行い（Ｓ６１３）、映像処理装置１２３はこの要求に応じて映像処理装置３００をログアウトさせる（Ｓ６１４）。
【０１０８】
以上のように、映像処理システムに備えられる映像処理装置の全てに同一のネットワークインターフェース９５およびネットワーク制御部９０を備えることで、単体の映像処理装置のみでは行うことが困難であった複数の映像処理装置が連携した映像処理システムを構築することができる。
【０１０９】
なお、本発明は、以上の構成に限定されるものではなく、種々の変形が可能である。例えば、ネットワークを介して接続された複数の映像処理装置のグループ化を行う際、パスワードや照合情報などの認証情報を用いてグループ化を行ったり、グループ化されたシステムへのログインに、グループ化と同様の認証情報を用いたりしもてよい。
【符号の説明】
【０１１０】
１…映像操作装置
２、２ａ、２ｂ…外部表示装置
３、３ａ、３ｂ、３ｃ…カメラ
４…ネットワーク
５…外部メモリ
１０…装置制御部
１１、３７０…レジスタ
１１ａ…自装置リソーステーブル
２０…映像操作部
３０…表示制御部
３１…表示装置
４０…映像再生部
５０…外部メモリ制御部
６０…内蔵メモリ制御部
６１、６１ａ、６１ｂ、６１ｃ、６１ｄ…内蔵メモリ
７０…外部出力インターフェース
８０…外部入力インターフェース
９０…ネットワーク制御部
９１…外部装置リソース管理部
９２…通信リソース管理部
９３…外部装置リソーステーブル
９４…グループ化部
９５…ネットワークインターフェース部
１００〜１２３…映像処理装置
２００…外部スイッチ
３００…ノンリニア編集装置
３１０…制御部
３２０…編集部
３３０…操作部
３４０…映像データ記憶手段
３６０…表示部
４００…公衆網 
【図１】
2010050956.tif 000003
【図２】
2010050956.tif 000004
【図３】
2010050956.tif 000005
【図４】
2010050956.tif 000006
【図５】
2010050956.tif 000007
【図６】
2010050956.tif 000008
【図７】
2010050956.tif 000009
【図８】
2010050956.tif 000010
【図９】
2010050956.tif 000011
【図１０】
2010050956.tif 000012
【図１１】
2010050956.tif 000013
【図１２】
2010050956.tif 000014
【図１３】
2010050956.tif 000015
【図１４】
2010050956.tif 000016
【図１５】
2010050956.tif 000017
【図１６】
2010050956.tif 000018